(57)【要約】【課題】ロックされた蓋体を開く際の操作性の向上を図った開閉装置を提供する。【解決手段】容器本体２に対して蓋体３を閉じられた状態でロックするロック機構１０を有する開閉装置であって、ロック機構１０は、蓋体３の開閉に伴い移動するロックピン１１と、蓋体３の開閉動作に伴いロックピン１１が進入し内部を進行するハートカム部２０を有すると共にロックピン１１の進行に伴い移動するロック部材１２と、ロック部材１２を付勢するばね部１８Ａ，１８Ｂとを有する。また、ハートカム部２０に蓋体３が閉位置に移動した際にロックピン１１を係止すると共に係止状態にあるロックピン１１が押し下げられることによりロックピン１１との係止を解除する係止凹部２３を形成する。また、ロック部材１２の移動方向を、ロックピン１１がハートカム部２０に進行する方向に対して直交する方向（Ｚ１，Ｚ２方向）に設定する。【選択図】図２
2015129014.tif 000002
【特許請求の範囲】
【請求項１】
第１の部材と、前記第１の部材に開閉可能に設けられた第２の部材と、前記第１の部材に対して前記第２の部材を閉じた状態でロックするロック機構とを有する開閉装置であって、
前記ロック機構は、
ロックピンと、
前記第２の部材の開閉動作に伴い前記ロックピンが進入し内部を進行するカム溝を有しており、前記ロックピンの進行に伴い移動するロック部材と、
前記ロック部材を付勢する第１の付勢部材と、を有し、
前記カム溝に、前記第２の部材が閉位置に移動した際に前記ロックピンを係止すると共に、係止状態にある前記ロックピンが押し込まれることにより前記ロックピンとの係止を解除する係止部を形成し、
前記ロック部材の移動方向を、前記ロックピンが前記カム溝に進行する方向に対して異なる方向に設定したことを特徴とする開閉装置。
【請求項２】
前記ロック部材の移動方向を、前記ロックピンが前記カム溝に進行する方向に対して直交する方向に設定したことを特徴とする請求項１記載の開閉装置。
【請求項３】
前記ロック部材と前記第１の付勢部材とを一体的な構成としたことを特徴とする請求項１又は２記載の開閉装置。
【請求項４】
前記ロック部材を内包すると共に前記ロック部材の移動をガイドするガイド部材を設けたことを特徴とする請求項１乃至３のいずれか一項に記載の開閉装置。
【請求項５】
前記カム溝はハートカムを構成することを特徴とする請求項１乃至４のいずれか一項に記載の開閉装置。
【請求項６】
前記ロックピンを係止部に向け付勢する第２の付勢部材を有することを特徴とする請求項１乃至５のいずれか一項に記載の開閉装置。
【発明の詳細な説明】
【技術分野】
【０００１】
本発明は、蓋体を閉じた状態にロックできる開閉装置に関する。
【背景技術】
【０００２】
一般に、容器本体に開閉可能な蓋体を設けた蓋付きの容器が多用されている。この種の容器は蓋体の開閉装置を設けており、この開閉機構により蓋体が容器に対して開閉する構成とされている。
【０００３】
また、蓋体が自由に開閉する構成では、容器の蓋体が不用意に開いてしまう可能性がある。このため、蓋体を閉めた状態でロックするロック機構を有した開閉装置が提供されている。
【０００４】
このロック機構としては、蓋体に形成されたＵ字状の嵌合部に嵌合凹部を設けると共に容器本体に嵌合凸部を設け、蓋体が閉じられた際に嵌合凹部と嵌合凸部が嵌合することにより閉じ状態に蓋体をロックするロック機構があった（特許文献１）。
【０００５】
また他のロック機構としては、蓋体に係合突起を設けると共に容器本体に屈曲鉤状爪を設け、蓋体が閉じられた際に係合突起が屈曲鉤状爪の屈曲部に係合することにより蓋体をロックするロック機構があった（特許文献２）。
【先行技術文献】
【特許文献】
【０００６】
【特許文献１】特開２００４−２３１２４５号公報
【特許文献２】実開昭５３−０２５８２２号公報
【発明の概要】
【発明が解決しようとする課題】
【０００７】
しかしながら、Ｕ字状の嵌合部に設けられた嵌合凹部と嵌合凸部とを嵌合することにより蓋体をロックする構成では、蓋体を開く際にＵ字状とされることによりばね性を有する嵌合部を押し込み操作することにより嵌合凹部と嵌合凸部の嵌合を解除し、この状態を維持しつつ蓋体を開く必要があり、操作性が悪いという問題点があった。
【０００８】
また、蓋体が閉じられた際に係合突起が屈曲鉤状爪の屈曲部に係合することにより蓋体をロックする構成では、蓋体を開く際に、先ず蓋体をその面方向（水平方向）に移動させることにより屈曲部と係合突起とを離間させ、その後に移動させた状態を維持しつつ蓋体を開くことにより係合突起と屈曲鉤状爪との係合を解除する必要があり、やはり操作性が悪いという問題点があった。
【０００９】
本発明のある態様の例示的な目的のひとつは、ロックされた蓋体を開く際の操作性の向上を図った開閉装置を提供することにある。
【課題を解決するための手段】
【００１０】
本発明のある態様によると、
第１の部材と、前記第１の部材に開閉可能に設けられた蓋体と、前記第１の部材に対して前記蓋体を閉じられた状態でロックするロック機構とを有する開閉装置であって、
前記ロック機構は、
ロックピンと、
前記蓋体の開閉動作に伴い前記ロックピンが進入し内部を進行するカム溝を有しており、前記ロックピンの進行に伴い移動するロック部材と、
前記ロック部材を付勢する第１の付勢部材と、を有し、
前記カム溝に、前記蓋体が閉位置に移動した際に前記ロックピンを係止すると共に、係止状態にある前記ロックピンが押し込まれることにより前記ロックピンとの係止を解除する係止部を形成し、
前記ロック部材の移動方向を、前記ロックピンが前記カム溝に進行する方向に対して異なる方向に設定する。
【発明の効果】
【００１１】
本発明のある態様によると、簡易な構造でロックされた蓋体を開く際の操作性の向上を図ることができる。例えば、従来では片手で第１の部材を支え、もう一方の手で蓋体を開けていた蓋体の開閉を片手で行うことが可能になる。
【図面の簡単な説明】
【００１２】
【図１】図１は、ある実施形態である開閉装置を適用した容器の一例を示す斜視図であり、（Ａ）は蓋体が開いた状態を示す図であり、（Ｂ）は蓋体が閉じた状態を示す図である。
【図２】図２は、ある実施形態である開閉装置を構成するロック機構を説明するための図であり、（Ａ）は平面図、（Ｂ）は正面図、（Ｃ）は側面図である。
【図３】図３は、ある実施形態である開閉装置を構成するロック部材を説明するための図であり、（Ａ）は平面図、（Ｂ）は正面図、（Ｃ）は側面図である。
【図４】図４は、ある実施形態である開閉装置を構成するガイド部材を説明するための図であり、（Ａ）は平面図、（Ｂ）は正面図、（Ｃ）はＡ−Ａ線に沿う断面図である。
【図５】図５は、ある実施形態である開閉装置の動作を説明するための図である（その１）。
【図６】図６は、ある実施形態である開閉装置の動作を説明するための図である（その２）。
【図７】図７は、ある実施形態である開閉装置の動作を説明するための図である（その３）。
【図８】図８は、ある実施形態である開閉装置の動作を説明するための図である（その４）。
【図９】図９は、ある実施形態である開閉装置の動作を説明するための図である（その５）。
【図１０】図１０は、ある実施形態である開閉装置の動作を説明するための図である（その６）。
【図１１】図１１は、ある実施形態である開閉装置を戸棚に適用した例を示す斜視図である。
【図１２】図１２（Ａ）〜図１２（Ｃ）は、変形例である開閉装置の動作を説明するための図である。
【発明を実施するための形態】
【００１３】
次に、添付の図面を参照しながら、本発明の限定的でない例示の実施形態について説明する。
【００１４】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１５】
また、以下説明する実施形態は、発明を限定するものではなく例示であって、実施形態に記述される全ての特徴やその組み合わせは、必ずしも発明の本質的なものであるとは限らない。
【００１６】
図１は、本発明のある実施形態である開閉装置９を適用した容器１を示している。本実施形態では、容器１としてファンデーション等の化粧料を収納部４に収納する化粧品容器を例に挙げて説明する。
【００１７】
容器１は、容器本体２、蓋体３、及びロック機構１０等を有している。容器本体２は蓋体３が開閉可能に取り付けられている。この容器本体２は、前記のようにファンデーション等の化粧料が収納される収納部４を有している。また容器本体２の手前に位置するフロント部６には、後述する開閉装置９の一部を構成するロック機構１０が設けられている。
【００１８】
蓋体３は、ヒンジ部５により容器本体２に回動可能に取り付けられている。この蓋体３は、ヒンジ部５を中心として、収納部４を外部に対して開放する位置（図１（Ａ）に示す位置。以下、この位置を開位置という）と、収納部４を閉塞する位置（図１（Ｂ）に示す位置。以下、この位置を閉位置という）との間で回動する。
【００１９】
この蓋体３は、蓋体本体３ａと操作部７とを有している。蓋体本体３ａは、蓋体３が閉位置に位置した状態において、容器本体２の上部を覆うよう構成されている。
【００２０】
操作部７は、蓋体本体３ａの面方向に対して垂直方向（図１（Ｂ）に矢印Ｄ１，Ｄ２で示す方向）に移動可能な構成とされている。この操作部７は、上板部７ａと側板部７ｂが略Ｌ字直角に一体的に形成された構成とされている。また操作部７には、ロック機構１０の一部を構成するロックピン１１が設けられている（これについては後述する）。
【００２１】
また操作部７の上板部７ａと蓋体本体３ａとの間には、ばね部材８が配設されている。このばね部材８は、操作部７を蓋体本体３ａに対して上方向（矢印Ｄ１方向）に移動付勢する。しかしながら、上板部７ａと蓋体本体３ａとの間には図示しないストッパーが設けられており、操作部７が蓋体本体３ａから離脱するのを防止している。
【００２２】
次に、ロック機構１０について説明する。
【００２３】
ロック機構１０は、ロックピン１１、ロック部材１２、ガイド部材１３等を有している。
【００２４】
ロックピン１１は、操作部７の側板部７ｂに内側に向けて突出するよう設けられている。このロックピン１１の材質は、後述する蓋体３をロックできる強度を有するものであれば、特に材質は問わない。
【００２５】
ロックピン１１は操作部７に設けられているため、蓋体３の回動に伴い移動する。この際のロックピン１１の移動軌跡は、正面視した場合には上下方向（図中矢印Ｚ１，Ｚ２方向）に延在する直線状の軌跡となり、側面視した場合にはヒンジ部５を中心とした円弧形状の軌跡となる。なお、図１（Ａ）及び図２（Ｂ）に矢印ＰＬで示す一点鎖線は、ロックピン１１の移動軌跡を示している。
【００２６】
ロック部材１２及びガイド部材１３は、容器本体２の一部を構成するフロント部６に設けられている。このフロント部６は、容器１を使用する際に容器本体２の手前に位置する壁部である。
【００２７】
ロック部材１２は、図２に示すようにガイド部材１３の内部に配設されており、ガイド部材１３の内部で長手方向（図中、矢印Ｘ１，Ｘ２方向）にスライド可能な構成となっている。このロック部材１２は、図２及び図３に示すように、本体部１５とばね部１８Ａ，１８Ｂとを有している。
【００２８】
本実施形態では、本体部１５とばね部１８Ａ，１８Ｂとを樹脂により一体的に形成した例を示している。しかしながら、本体部１５とばね部１８Ａ，１８Ｂは必ずしも一体的に形成する必要はなく、また材質も樹脂に限定されるものではなく金属等を用いることも可能である。
【００２９】
本体部１５は、カム形成部１６とスライド部１７を有している。カム形成部１６は手前側（図中、矢印Ｙ２側が手前側となる）に位置しており、スライド部１７はカム形成部１６の後方（矢印Ｙ１方向側）に位置している。
【００３０】
このカム形成部１６とスライド部１７は、上下方向（矢印Ｚ１，Ｚ２方向）に高さが異なるよう構成されている。具体的には、カム形成部１６に対してスライド部１７の方が高く設定されている。この高さの差により、カム形成部１６とスライド部１７との間には、上部に上部段部２６が形成され、また下部に下部段部２７が形成されている。
【００３１】
カム形成部１６は、ハートカム部２０が形成されている。このハートカム部２０は、ピン挿入脱口２１、ピン進入側カム溝２２、係止凹部２３、及びピン離脱側カム溝２４等を有している。またハートカム部２０は、図３（Ｂ）に示すようにロック部材１２を正面視した場合、上記のピン挿入脱口２１から反時計回りにピン進入側カム溝２２、係止凹部２３、及びピン離脱側カム溝２４が略環状に連続して形成された構成とされている。
【００３２】
また、ハートカム部２０のロックピン１１と対向する奥面２０ａ（ロックピン１１の矢印Ｙ１方向の先端部と対向する面）に注目すると、本実施形態では奥面２０ａは凹凸のないフラットな面となっている。このためハートカム部２０の形成は容易であり、ロック部材１２の作製の簡単化及び低コスト化を図ることができる。
【００３３】
ピン挿入脱口２１は、ハートカム部２０にロックピン１１が挿入脱される開口である（図２参照）。このピン挿入脱口２１は、ロック部材１２のスライド方向（矢印Ｘ１，Ｘ２方向）に対する略中央位置の上部に形成されている。
【００３４】
ピン進入側カム溝２２は、正面視でピン挿入脱口２１から左斜め下方に向けて延出した形状とされている。また、ピン進入側カム溝２２を構成する内側の壁２５は、ピン挿入脱口２１と対向する部位を含むよう構成されている。具体的には、ロックピン１１がピン挿入脱口２１からハートカム部２０に進入した際、ロックピン１１が先ず壁２５と係合するよう構成されている（以下、この壁２５を係合壁２５という）。
【００３５】
ピン離脱側カム溝２４は、突出壁２８とピン挿入脱口２１との間に形成されている。後述するように突出壁２８を乗り越えたロックピン１１は、ピン離脱側カム溝２４を進行してピン挿入脱口２１に向け進行する。
【００３６】
係止凹部２３は、ピン進入側カム溝２２とピン離脱側カム溝２４との境界部に形成されている。この係止凹部２３は、内側に向けて窪んだ形状とされている。またこの係止凹部２３は、ロックピン１１を係止可能な形状とされている。
【００３７】
係止凹部２３の側部には、突出壁２８が形成されている。この突出壁２８は、ロックピン１１の進行方向に対して係止凹部２３の前方位置（図２（Ｂ）における係止凹部２３の右側位置）に形成されている。この突出壁２８は、下方向（図中、矢印Ｚ２で示す方向）に向けて突出した形状を有している。
【００３８】
上記のロックピン１１は、蓋体３が閉じられた状態（以下、この状態を閉じ状態という）となったとき係止凹部２３に係止されるよう構成されている。この係止状態において、ロックピン１１を抜き方向に移動させようとしても（即ち、蓋体３を開き方向に移動させようとしても）、係止凹部２３は内側に向けて窪んだ形状であるため、ロックピン１１が係止凹部２３から離脱するようなことはない。これにより蓋体３は、閉位置にロックされた状態となる（以下、蓋体３及びロックピン１１のロックされた状態をロック状態という）。
【００３９】
なお、ロックピン１１が係止凹部２３に係合される際、容器１の使用者にはクリック感を得ることができる。よって容器１の使用者は、このクリック感により蓋体３がロックされたことを知ることができる。
【００４０】
また、前記のように係止凹部２３の側部でロックピン１１の進行側には、突出壁２８が形成されている。よって、係止凹部２３に係止されたロックピン１１が直ちにピン離脱側カム溝２４に進行するようなことはない。しかしながらロックピン１１が突出壁２８を乗り越えると、ロックピン１１はピン離脱側カム溝２４に進行し、ピン離脱側カム溝２４に案内されてピン挿入脱口２１に向け進行する。
【００４１】
なお、図３（Ｂ）に矢印ＣＬで示す一点鎖線は、ロック部材１２のスライド方向（矢印Ｘ１，Ｘ２方向）に対する中心線である。本実施形態では、この中心線ＣＬに対して一方側（矢印Ｘ２方向側）にピン進入側カム溝２２及び係止凹部２３を配置し、中心線ＣＬの他方側（矢印Ｘ１方向側）にピン離脱側カム溝２４を配置した構成としている。
【００４２】
次に、ばね部１８Ａ，１８Ｂについて説明する。
【００４３】
ばね部１８Ａ，１８Ｂは、下端部がカム形成部１６に固定された片持ち梁構造を有している。即ち、ばね部１８Ａは、ロック部材１２を正面視した状態（図３（Ｂ）に示す状態）において、カム形成部１６の右下端部から斜め右上方に延出した構成とされている。またばね部１８Ｂは、ロック部材１２を正面視した状態において、カム形成部１６の左下端部から左斜め右上方に延出した構成とされている。よってばね部１８Ａ，１８Ｂは、板ばねを構成している。
【００４４】
このばね部１８Ａ，１８Ｂは、図３（Ｂ）に矢印Ｃ１，Ｃ２で示す方向に弾性変形可能な構成とされている。またロック部材１２がガイド部材１３に装着され、かつロックピン１１が進入していない状態（以下、この状態を中立状態という）において、ばね部１８Ａの先端部はガイド部材１３の側壁部３５Ａの内壁に接するよう構成されている。またばね部１８Ａの先端部は、中立状態においてガイド部材１３の側壁部３５Ｂの内壁に接するよう構成されている（図２（Ｂ）参照）。
【００４５】
また各ばね部１８Ａ，１８Ｂは、中心線ＣＬに対して対称な形状とされており、また各ばね部１８Ａ，１８Ｂのばね定数も等しく設定されている。
【００４６】
上記構成とされたロック部材１２がガイド部材１３内で中立位置から矢印Ｘ１方向にスライドすると、側壁部３５Ａと接しているばね部１８Ａは矢印Ｃ１方向に弾性変形し、ロック部材１２を逆方向（矢印Ｘ２方向）に付勢する弾性力が発生する。またロック部材１２が中立位置から矢印Ｘ２方向にスライドすると、側壁部３５Ｂと接しているばね部１８Ｂは矢印Ｃ１方向に弾性変形し、ロック部材１２を矢印Ｘ１方向に付勢する弾性力が発生する。
【００４７】
次に、ガイド部材１３について説明する。
【００４８】
ガイド部材１３はロック部材１２を内包すると共に、ロック部材１２が矢印Ｘ１，Ｘ２方向にスライド（移動）することをガイドするものである。このガイド部材１３は、側壁部３５Ａ，３５Ｂ、上壁部３６Ａ、及び下壁部３６Ｂを一体的に形成した構成とされている。またガイド部材１３は、図４（Ｂ）に示すように、正面視で枠状の形状とされている。
【００４９】
なお本実施形態では、ガイド部材１３を樹脂製の一体形成物とした例を示しているが、材質は金属とすることも可能である。また、各壁部３５Ａ，３５Ｂ，３６Ａ，３６Ｂを独立な構成とし、これを接合することにより枠状形状のガイド部材１３を構成することも可能である。
【００５０】
側壁部３５Ａ，３５Ｂは、外壁に装着突起３４Ａ，３４Ｂが形成されている。ガイド部材１３は、容器本体２のフロント部６に形成された機構収納部２ａに挿入装着される（図１（Ａ）参照）。この際、装着突起３４Ａ，３４Ｂは、機構収納部２ａの内壁に形成された装着凹部（図に現れず）に係合する。このように、装着突起３４Ａ，３４Ｂが装着凹部に係合することにより、ガイド部材１３は容器本体２（フロント部６）に取り付けられる。
【００５１】
また、ガイド部材１３の上壁部３６Ａには、蓋体３が閉じられる際にロックピン１１が挿入する溝部３１が形成されている。よって溝部３１は、ロックピン１１の移動軌跡ＰＬ上に形成されている。さらにロック部材１２が中立状態にあるとき、溝部３１はピン挿入脱口２１と対向するよう構成されている。
【００５２】
また、上壁部３６Ａには上部段部３２が形成され、下壁部３６Ｂには、下部段部３３が形成されている。この上部段部３２は、ロック部材１２に形成された上部段部２６とスライド可能に係合するよう構成されている。また下部段部３３は、ロック部材１２に形成された下部段部２７とスライド可能に係合するよう構成されている。各上部段部２６，３２と各下部段部２７，３３がスライド可能に係合することにより、ロック部材１２はガイド部材１３内で安定した状態で移動することができる。
【００５３】
なお、容器本体２のフロント部６にも、蓋体３の移動に伴いロックピン１１がロック機構１０内に進行するのを許容するためのピン用溝２ｂが形成されている。
【００５４】
次に、図５〜図１０を用いて、ロック機構１０の動作について説明する。
【００５５】
先ず、図１（Ａ）に示す開状態から図１（Ｂ）に示す閉じ状態に蓋体３を移動させるときのロック機構１０の動作について説明する。
【００５６】
図１（Ａ）に示す開状態からヒンジ部５を中心として蓋体３を閉じると、これに伴い蓋体３に設けられたロックピン１１も移動軌跡ＰＬ上を移動する。図５は、ロックピン１１がロック部材１２及びガイド部材１３の近傍まで移動した状態を示している。なお以下の説明に用いる図５〜図１０においては、容器１の図示を適宜省略するものとする。
【００５７】
図５に示す状態では、ロックピン１１はロック部材１２内に進入していないため、ロック部材１２はガイド部材１３の中央位置に位置した中立状態となっている。中立状態では、ロック部材１２のピン挿入脱口２１はガイド部材１３の上壁部３６Ａに形成された溝部３１と対向した状態となっている。また、ばね部１８Ａ，１８Ｂは側壁部３５Ａ，３５Ｂの内壁に接した状態となっている。
【００５８】
図５に示す状態からさらに蓋体３を閉じると、ロックピン１１は溝部３１及びピン挿入脱口２１を通過し、ロック部材１２に形成されたハートカム部２０内に進行する。図２（Ｂ）に示すように、ハートカム部２０においてピン進入側カム溝２２を構成する係合壁２５は、ピン挿入脱口２１及び溝部３１と対向する部分を有するよう構成されている。換言すると、係合壁２５はロックピン１１の移動軌跡ＰＬと交わるよう構成されている。
【００５９】
よって、ロックピン１１が溝部３１を介してピン挿入脱口２１に進行すると、ロックピン１１は係合壁２５と係合し、この係合壁２５に案内されることによりピン進入側カム溝２２に進行する。
【００６０】
前記のようにロックピン１１は移動軌跡ＰＬで移動し、この移動軌跡ＰＬは正面視した場合に図２（Ｂ）に示すように直線状の軌跡となる。これに対してロック部材１２は、ガイド部材１３の内部で移動軌跡ＰＬに対して直交する方向（図中、矢印Ｘ１，Ｘ２で示す移動軌跡ＰＬとは異なる方向）に移動可能な構成となっている。さらに、ピン進入側カム溝２２は中心線ＣＬに対して偏った位置（図２（Ｂ）及び図３（Ｂ）における左側の位置）に設けられている。
【００６１】
中立状態においては、この移動軌跡ＰＬとロック部材１２の中心線ＣＬとは一致した状態となっている。しかしながら、ロックピン１１がピン進入側カム溝２２に進行することにより、ロックピン１１が係合壁２５を押圧することによりロック部材１２は付勢され、矢印Ｘ１で示す方向に移動する。
【００６２】
図６は、ロックピン１１が係合壁２５に案内されてピン進入側カム溝２２に進行し、これに伴いロック部材１２が矢印Ｘ１方向に移動した状態を示している。
【００６３】
ロック部材１２が矢印Ｘ１方向に移動することにより、ばね部１８Ａは相対的に側壁部３５Ａに押圧され、矢印Ｃ１方向に弾性変形する。このばね部１８Ａの弾性復元力により、ロック部材１２には図中矢印Ｘ２方向に移動しようとする力が発生する。ロックピン１１は、この弾性復元力により相対的に係合壁２５に押し付けられ、この状態を維持しつつロックピン１１は図中矢印Ｚ２方向に進行（下動）する。
【００６４】
さらにロックピン１１が進行すると、やがて図７に示すように、ロックピン１１は係止凹部２３の形成位置に至る。
【００６５】
前記のように係止凹部２３は、内側（正面視した状態で右斜め上方）に窪んだ形状とされている。また、ロックピン１１の進行方向に対し、係止凹部２３の前方側部には下方（矢印Ｚ２方向）に延出した突出壁２８が形成されている。さらに、ロック部材１２は、ばね部１８Ａの弾性復元力により図中矢印Ｘ２方向に移動付勢されている。
【００６６】
このため、ロックピン１１は係止凹部２３の形成位置に至ると、突出壁２８に案内されつつロックピン１１は係止凹部２３と係合する。前記のように、ロックピン１１が係止凹部２３に係合される際、容器１の使用者にはクリック感を得ることができる。使用者は、このクリック感を得た際、蓋体３を閉める操作を停止する。
【００６７】
前記のように、ロックピン１１が設けられた操作部７は、ばね部材８により蓋体本体３ａに対して上方向（矢印Ｄ１方向）に移動付勢されている。よって、使用者が蓋体３を閉める操作を停止することにより、ばね部材８によりロックピン１１は上方向（図１（Ｂ）及び図８に矢印Ｄ１で示す方向）に付勢される。これにより、ロックピン１１は係止凹部２３に押し付けられ、ロックピン１１は係止凹部２３に係止された状態となる。
【００６８】
このようにロックピン１１が係止凹部２３に係止されることにより、図１（Ｂ）に示されるように、蓋体３はロックされる。この閉じ状態では、蓋体３に対して開く方向に力が作用しても、この力はロックピン１１を係止凹部２３に押し付ける力として作用するため、蓋体３が開くようなことはない。
【００６９】
また、ばね部材８が発生する弾性力は、ロックピン１１が係止凹部２３に係止されているため、相対的に蓋体３容器本体２に向け押圧する力としても作用する。よって、蓋体３がロックされた状態では、蓋体３が容器本体２に押圧されることにより収納部４の気密性を維持することもできる。
【００７０】
次に、図１（Ｂ）に示す閉じ状態から図１（Ａ）に示す開状態に蓋体３を移動させるときのロック機構１０の動作について説明する。
【００７１】
ロックピン１１と係止凹部２３との係止を解除し、蓋体３の開状態への移動を可能にするには、閉じ状態にある蓋体３の操作部７を押圧する（矢印Ｄ２方向に押圧する）。これにより、操作部７はばね部材８の弾性力に抗して矢印Ｄ２方向に移動し、これに伴い操作部７に設けられたロックピン１１も矢印Ｄ２方向に移動する。なお，この矢印Ｄ２方向は、閉じ状態においては矢印Ｚ２方向と略同一方向となる。
【００７２】
前記のようにロック部材１２はばね部１８Ａの弾性復元力により矢印Ｘ２方向に移動付勢されている。このため、相対的にロックピン１１は突出壁２８に押し付けられた状態となっている。このため、ロックピン１１が矢印Ｚ２方向に移動する際、ロックピン１１は突出壁２８に案内された状態で矢印Ｚ２方向に移動する。
【００７３】
ロックピン１１の矢印Ｚ２方向に移動に伴い、やがてロックピン１１は突出壁２８を乗り越えた状態となる。図８及び図９は、ロックピン１１は突出壁２８を乗り越えた状態を示している。
【００７４】
このようにロックピン１１は突出壁２８を乗り越えることにより、ロック部材１２はばね部１８Ａの弾性復元力により矢印Ｘ２方向に移動し、ロックピン１１はピン離脱側カム溝２４に進行する。ピン離脱側カム溝２４は、ピン挿入脱口２１に向けて形成されたカム溝である。よって、ロックピン１１がピン離脱側カム溝２４を乗り越えることにより係止凹部２３によるロックピン１１の係止は解除され、蓋体３は開状態に向け移動可能な状態（ロック解除状態）となる。
【００７５】
このロック解除状態において、使用者が蓋体３を開状態に向けて回動させることにより、図１０に示すようにロックピン１１はピン離脱側カム溝２４内を上方（矢印Ｚ１方向）に移動し、やがてピン挿入脱口２１及び溝部３１を介してロック部材１２及びガイド部材１３から離脱する。よって、蓋体３を図１（Ａ）に示す開位置まで回動させることができる。
【００７６】
上記のように本実施形態では、蓋体３を容器本体２にロック（係止）するロック機構１０を、主としてロックピン１１とロック部材１２とにより構成している。よって、簡単な構成で確実に蓋体３を容器本体２にロックすることができるため、ロック機構１０を設けることにより容器１が大型化することを防止することができる。
【００７７】
特に、正面視した状態において、ロック部材１２の移動方向がロックピン１１の進行する方向（移動軌跡ＰＬ）に対して直交する方向（矢印Ｚ１，Ｚ２方向）となっており、この移動方向は容器本体２のフロント部６の延在方向と同一方向となっている。このため、フロント部６の厚さ（矢印Ｙ１，Ｙ２の寸法）を小さくすることができ、容器１の小型化を図ることができる。
【００７８】
また本実施形態に係るロック機構１０によれば、使用者が蓋体３を容器本体２にロック（係止）及びロック解除する操作は、単に蓋体３（操作部７）を押すだけの操作となる。このため、蓋体３の容器本体２に対するロック及びロック解除操作を容易にワンタッチで行うことができ、容器１の操作性を向上することができる。
【００７９】
上記した実施形態では、開閉装置９をファンデーション等の化粧料を収納する化粧品容器１に適用した例を示したが、本発明の適用はこれに限定されるものではなく、広く適用ができるものである。
【００８０】
図１１は、開閉装置９を戸棚４０に適用した例を示している。なお図１１において、図１乃至図１０に示した構成と対応する構成については同一符号を付して、その説明は省略する。
【００８１】
戸棚４０は、収納部４１と扉４２とを有している。収納部４１は、直方体形状の一面に開口部４３が形成された構成とされている。この収納部４１は、内部に収納物を収納する収納空間が形成されており、開口部４３を介して収納部４１内に収納物が出し入れされる。
【００８２】
扉４２は、図に現れない蝶番を用いて収納部４１に開閉可能に取り付けられている。収納部４１が閉じられることにより収納部４１は閉鎖され、収納部４１を比較ことにより収納物の出し入れが可能になる。
【００８３】
開閉装置９を構成するロック機構１０は、収納部４１の天板の内側面４１ａに配設されている。またロックピン１１は、扉４２の内側面４２ａに配設されたピン固定部材４４に固定された構成とされている。
【００８４】
ロックピン１１はピン固定部材４４を介して扉４２に固定されているため、扉４２の回動に伴い移動する。この際のロックピン１１の移動軌跡ＰＬは、側面視した場合には水平方向（図中矢印Ｙ１，Ｙ２方向）に延在する直線状の軌跡となり、平面視した場合には扉４２の回動中心位置を中心とした円弧形状の軌跡となる。ロック機構１０は、ロックピン１１の移動軌跡ＰＬ上に溝部３１が位置するよう収納部４１（内側面４１ａ）に配設される。
【００８５】
本実施形態における戸棚４０に適用した開閉装置９の動作は、図１〜図１０に示した開閉装置９の動作と同一動作となる。即ち、開状態から扉４２を閉じると、これに伴いロックピン１１は移動軌跡ＰＬ上を移動し溝部３１を介してロック機構１０内に進行する。
【００８６】
ロック機構１０内に進行すると、ロックピン１１はロック部材１２の移動（ロックピン１１の進行方向に対して直交する方向の移動、即ち、Ｘ１，Ｘ２方向の移動）に伴い、相対的にハートカム部２０内を移動する。
【００８７】
やがてロックピン１１はハートカム部２０に形成された係止凹部２３と係合し、ロックピン１１はロック機構１０に係止された状態になる。この係止状態において、扉４２は開口部４３を覆った状態でロックされる（閉じ状態となる）。
【００８８】
閉じ状態から扉４２を開くには、扉４２を収納部４１側に（矢印Ｙ１方向側）に押圧する。この押圧操作に伴いロックピン１１も矢印Ｙ１方向に移動し、突出壁２８を乗り越え係止凹部２３と係合は解除される（図９参照）。これにより係止凹部２３によるロックピン１１の係止は解除され、扉４２は開状態に向け移動可能な状態（ロック解除状態）となる。
【００８９】
このように、開閉装置９の適用はファンデーション等の化粧料を収納する化粧品容器１ばかりでなく、収納部４１に対して開閉する扉４２を有した戸棚４０についても適用することができる。さらに、上記した各実施形態の他にも、机の引き出し、食器ダンスのガラス扉等のように、可動物（蓋体，扉，引き出し等）を固定物（容器本体，机、収納部、食器ダンス等）に対して回動或いは直線移動させるものにおいて、可動物を固定物に閉じ状態でロックする必要があるものに対して、広く適用することができる。
【００９０】
なお、図１１に示した戸棚４０では、閉じ状態とされた扉４２のロックを解除するのに、扉４２を図中矢印Ｙ１方向に押圧する構成とした。このため図１１に示す実施形態では、閉じ状態において収納部４１と扉４２との間に、必然的にロック解除時に扉４２を押圧する距離分の隙間を形成する必要がある。
【００９１】
しかしながら、ロック時に収納部４１と扉４２との間に隙間が形成されることを望まない場合には、図１及び図８を用いて説明した操作部７及びピン付勢ばね８に相当する機構を扉４２に設ける構成としてもよい。この構成とすることにより、扉４２を収納部４１に密着した状態でロックすることができる。
【００９２】
次に、図１〜図１０に示したロック機構１０の変形例について説明ずる。
【００９３】
図１２は、図１〜図１０に示したロック機構１０の変形例であるロック機構１００を示している。図１２（Ａ）は、本変形例に係るロック機構１０においてロックピン１１がハートカム部２０のピン進入側カム溝２２に進行した状態を示しており、図１２（Ｂ）は本変形例に係るロック機構１０においてロックピン１１が係止凹部２３に係止された状態を示しており、さらに図１２（Ｃ）は本変形例に係るロック機構１０においてロックピン１１がピン離脱側カム溝２４に進行した状態を示している。なお、図１２において図１〜図１０に示した各構成と対応する構成については同一符号を付して、その説明を省略する。
【００９４】
前記した図１〜図１０に示したロック機構１０は、ガイド部材１３に形成された上部段部３２及び下部段部３３が、ロック部材１２に形成された上部段部２６及び下部段部２７とスライド可能に係合することにより、ロック部材１２はガイド部材１３内で移動する構成とされていた。従って、図１〜図１０に示したロック機構１０では、ロック部材１２はガイド部材１３内で一方向のみ（矢印Ｘ１，Ｘ２方向のみ）に移動する構成とされていた。
【００９５】
これに対して本変形例では、ガイド部材１３内でロック部材１１２が複数の方向に移動することを特徴とするものである。以下、本変形例に係るロック機構１００の構成について説明する。
【００９６】
ロック機構１００は、先に説明したロック機構１０と同様に、ロックピン１１、ロック部材１１２、及びガイド部材１１３を有している。
【００９７】
ロック部材１１２は、図１２に示すように、カム形成部１６（本体部１５）の上部でガイド部材１１３の上壁部３６Ａと対向する面を湾曲面としている（以下、上部湾曲面１１２ａという）。同様に、カム形成部１６（本体部１５）の下部でガイド部材１１３の下壁部３６Ｂと対向する面も湾曲面としている（以下、下部湾曲面１１２ｂという）。
【００９８】
また、先に説明したロック機構１０ではロック部材１２にスライド部１７を設けていたが、本変形例ではロック部材１１２にスライド部１７（上部段部２６及び下部段部２７を含む）は設けられていない。これに伴い、ガイド部材１１３には上部段部３２及び下部段部３３は設けられていない。
【００９９】
本変形例に係るロック機構１００は、ロック部材１１２の上壁部３６Ａと対向する面に上部湾曲面１１２ａが形成され、下壁部３６Ｂと対向する面に下部湾曲面１１２ｂが形成されている。また、上部湾曲面１１２ａ及び下部湾曲面１１２ｂの曲面形状は、ガイド部材１１３内においてロック部材１１２が回転できるよう設定されている。
【０１００】
なお、カム形成部１６の両側部にはばね部１８Ａ，１８Ｂが設けられているため、ばね部１８Ａ，１８Ｂがガイド部材１１３に当接することにより所定の回転角度以上の回転は規制される。
【０１０１】
上記構成とされたロック機構１００は、図１２（Ａ）に示すようにロックピン１１がハートカム部２０のピン進入側カム溝２２に進行すると、ロック部材１１２はロックピン１１に付勢され、ロックピン１１の進入方向（矢印Ｚ２方向）に対して直交する方向（矢印Ｘ１方向）に移動する。
【０１０２】
この際、本変形例ではロック部材１１２に上部湾曲面１１２ａ及び下部湾曲面１１２ｂが形成されているため、ロック部材１１２は矢印Ｘ１方向への移動と共に、図１２（Ａ）に矢印Ｄで示す反時計方向への回転移動を行う。
【０１０３】
また図１２（Ｂ）に示すロックピン１１が係止凹部２３に係止されたロック状態では、ロック部材１１２はガイド部材１１３の中央位置に移動する。この状態では、カム形成部１６はばね部１８Ａ，１８Ｂから均等にばね力が付与されているため、正立した状態（回転していな状態）となっている。
【０１０４】
ロックピン１１が係止凹部２３から離脱してロック状態が解除されると、ロックピン１１は図１２（Ｃ）に示すようにハートカム部２０のピン離脱側カム溝２４に進行する。ロックピン１１がピン進入側カム溝２２に進行すると、ロック部材１１２はロックピン１１に付勢され、ロックピン１１の進入方向（矢印Ｚ２方向）に対して直交する方向（矢印Ｘ２方向）に移動する。
【０１０５】
ロック部材１１２が矢印Ｘ２方向に移動した場合も、ロック部材１１２に上部湾曲面１１２ａ及び下部湾曲面１１２ｂが形成されているため、ロック部材１１２は矢印Ｘ２方向への移動と共に反時計方向へ回転移動（図１２（Ｃ）に矢印Ｄで示す回転移動）する。
【０１０６】
上記のように本変形例に係るロック機構１０では、ロックピン１１がハートカム部２０内を進行し、これに伴いロックピン１１に付勢されたロック部材１１２が移動する際、ロック部材１１２は矢印Ｘ１，Ｘ２方向の直線移動に加えて回転移動を行う。このように、ロック部材１１２が回転移動を行うことにより、本変形例に係るロック機構１００では、
図１〜図１０に示したロック機構１０に比べ、ハートカム部２０内をロックピン１１が進行する際のロック部材１１２の矢印Ｘ１，Ｘ２方向に対する移動量を小さくすることができる。
【０１０７】
即ち、ロックピン１１がハートカム部２０内を移動するとき、ロックピン１１はハートカム部２０の内壁を押圧し、この押圧力によりロック部材１１２は移動する。また、ロック部材１１２が移動することにより、ロックピン１１はハートカム部２０内を円滑に移動する。
【０１０８】
ところでロックピン１１は、ハートカム部２０内を移動する際、ハートカム部２０の内壁を矢印Ｘ１，Ｘ２方向にのみ押圧するのではなく種々の方向に押圧する。図１〜図１０に示したロック機構１０では、矢印Ｘ１，Ｘ２方向以外に作用する押圧力もロック部材１２を矢印Ｘ１，Ｘ２方向に移動させることにより吸収していた。このため、ロックピン１１がハートカム部２０内を移動する際にロック部材１２が矢印Ｘ１，Ｘ２方向に移動する距離は長くなっていた。
【０１０９】
これに対して本変形例では、ロック部材１１２に上部湾曲面１１２ａ及び下部湾曲面１１２ｂを設けることにより、ロック部材１１２がガイド部材１１３内で回転移動可能な構成となっている。よって、ロックピン１１がハートカム部２０内を移動する際に矢印Ｘ１，Ｘ２方向以外の方向にハートカム部２０の内壁を押圧した場合、ロック部材１１２は回転移動を行う。この回転移動は、図中矢印Ｘ１，Ｘ２方向の移動を伴わない。
【０１１０】
従って、ロック部材１１２に上部湾曲面１１２ａ及び下部湾曲面１１２ｂを設け、ガイド部材１１３内で回転移動できる構成とすることにより、ロック部材１１２の矢印Ｘ１，Ｘ２方向の移動量を小さくすることができ、ロック機構１０の小型化を図ることができる。
【０１１１】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【０１１２】
例えば、上記の実施形態ではカム形成部１６に形成するカムとしてハートカムを設けた例を示したが、蓋体３の移動に伴うロックピン１１の進入によりロックピン１１を係止し、さらに蓋体３を操作することにより係合を解除できるカムであれば、他のカムを用いることも可能である。
【０１１３】
また上記の実施形態では、ガイド部材１３を容器本体２と別箇の構成としたが、ガイド部材１３容器本体２に一体的に形成することも可能である。この構成とした場合には、さらに容器本体２の小型化及び部品点数の削減を図ることが可能になる。
【符号の説明】
【０１１４】
１  容器
２  容器本体
３  蓋体
４  収納部
５  ヒンジ部
６  フロント部
７  操作部
８  ばね部材
９  開閉装置
１０，１００  ロック機構
１１  ロックピン
１２，１１２  ロック部材
１３，１１３  ガイド部材
１５  本体部
１６  カム形成部
１７  スライド部
１８Ａ，１８Ｂ  ばね部
２０  ハートカム部
２１  ピン挿入脱口
２２  ピン進入側カム溝
２３  係止凹部
２４  ピン離脱側カム溝
２５  係合壁
２６  上部段部
２７  下部段部
３１  溝部
３２  上部段部
３３  下部段部
３４Ａ，３４Ｂ  装着突起
３５Ａ，３５Ｂ  側壁部
１１２ａ  上部湾曲面
１１２ｂ  下部湾曲面
ＰＬ  移動軌跡
ＣＬ  中心線
【図１】
2015129014.tif 000003
【図２】
2015129014.tif 000004
【図３】
2015129014.tif 000005
【図４】
2015129014.tif 000006
【図５】
2015129014.tif 000007
【図６】
2015129014.tif 000008
【図７】
2015129014.tif 000009
【図８】
2015129014.tif 000010
【図９】
2015129014.tif 000011
【図１０】
2015129014.tif 000012
【図１１】
2015129014.tif 000013
【図１２】
2015129014.tif 000014
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
第１の部材と、前記第１の部材に開閉可能に設けられた第２の部材と、前記第１の部材に対して前記第２の部材を閉じた状態でロックするロック機構とを有する開閉装置であって、
前記ロック機構は、
前記第２の部材に対して垂直方向に移動可能な操作部と、
前記操作部に設けられたロックピンと、
前記第２の部材の開閉動作に伴い前記ロックピンが進入し内部を進行するカム溝を有しており、前記ロックピンの進行に伴い移動するロック部材と、
前記ロック部材を付勢する第１の付勢部材と、を有し、
前記カム溝に、前記第２の部材が閉位置に移動した際に前記ロックピンを係止すると共に、係止状態にある前記ロックピンが押し込まれることにより前記ロックピンとの係止を解除する係止部を形成し、
前記ロック部材の移動方向を、前記ロックピンが前記カム溝に進行する方向に対して異なる方向に設定したことを特徴とする開閉装置。
【請求項２】
前記ロック部材の移動方向を、前記ロックピンが前記カム溝に進行する方向に対して直交する方向に設定したことを特徴とする請求項１記載の開閉装置。
【請求項３】
前記ロック部材と前記第１の付勢部材とを一体的な構成としたことを特徴とする請求項１又は２記載の開閉装置。
【請求項４】
前記ロック部材を内包すると共に前記ロック部材の移動をガイドするガイド部材を設けたことを特徴とする請求項１乃至３のいずれか一項に記載の開閉装置。
【請求項５】
前記カム溝はハートカムを構成することを特徴とする請求項１乃至４のいずれか一項に記載の開閉装置。
【請求項６】
前記操作部を垂直方向に付勢する第２の付勢部材を有することを特徴とする請求項１乃至５のいずれか一項に記載の開閉装置。
【手続補正２】
【補正対象書類名】明細書
【補正対象項目名】００１０
【補正方法】変更
【補正の内容】
【００１０】
本発明のある態様によると、
第１の部材と、前記第１の部材に開閉可能に設けられた第２の部材と、前記第１の部材に対して前記第２の部材を閉じた状態でロックするロック機構とを有する開閉装置であって、
前記ロック機構は、
前記第２の部材に対して垂直方向に移動可能な操作部と、
前記操作部に設けられたロックピンと、
前記第２の部材の開閉動作に伴い前記ロックピンが進入し内部を進行するカム溝を有しており、前記ロックピンの進行に伴い移動するロック部材と、
前記ロック部材を付勢する第１の付勢部材と、を有し、
前記カム溝に、前記第２の部材が閉位置に移動した際に前記ロックピンを係止すると共に、係止状態にある前記ロックピンが押し込まれることにより前記ロックピンとの係止を解除する係止部を形成し、
前記ロック部材の移動方向を、前記ロックピンが前記カム溝に進行する方向に対して異なる方向に設定する。